(57)【要約】【課題】  より柔軟に記録データの記録をコントロールする情報記録装置および情報記録方法を提供する。【解決手段】  情報記憶媒体の反り量を検出する検出手段と、この検出手段によって検出された前記反り量から前記情報記憶媒体の記録可能容量を判定する判定手段と、この判定手段によって判定された前記記憶可能容量に基づいて供給されるデータを加工する加工手段と、この加工手段によって制限される前記記録データを前記情報記憶媒体に記録する記録手段とを具備することを特徴とする情報記録装置。【選択図】      図３
2009129525.tif 000002
【特許請求の範囲】
【請求項１】
情報記憶媒体の反り量を検出する検出手段と、
この検出手段によって検出された前記反り量から前記情報記憶媒体の記録可能容量を判定
する判定手段と、
この判定手段によって判定された前記記憶可能容量に基づいて供給されるデータを加工す
る加工手段と、
この加工手段によって制限される前記記録データを前記情報記憶媒体に記録する記録手段
とを具備することを特徴とする情報記録装置。
【請求項２】
前記加工手段は、前記記録データを間引くよう制限する、
ことを特徴とする請求項１に記載の情報記録装置。
【請求項３】
前記加工手段は、前記記録データを圧縮するよう制限する、
ことを特徴とする請求項１に記載の情報記録装置。
【請求項４】
前記記録手段は、前記加工手段によって制限される前記記録データを前記情報記憶媒体
のラベル面側に印刷記録する、
ことを特徴とする請求項３に記載の情報記録装置。
【請求項５】
情報記憶媒体の反り量を検出する検出工程と、
この検出工程において検出された前記反り量から前記情報記憶媒体の記録可能容量を判定
する判定工程と、
この判定工程において判定された前記記憶可能容量に基づいて供給されるデータを加工す
る加工工程と、
この加工工程において制限される前記記録データを前記情報記憶媒体に記録する記録工程
とを含むことを特徴とする情報記録方法。
【発明の詳細な説明】
【技術分野】
【０００１】
本発明は、光ディスク等の情報記憶媒体に対して記録データを記録する情報記録技術に
関する。
【背景技術】
【０００２】
記録可能な情報記憶媒体として、Ｄ Ｖ Ｄ − Ｒ 、Ｄ Ｖ Ｄ − Ｒ Ｗ 、Ｄ Ｖ Ｄ −
Ｒ Ａ Ｍ 等のディスクがある。規格上、これらディスクに対する記録可能な最大容量が
定められている。ディスクドライブは、全てのディスクが規格上のスペックをクリアする
レベルで製造されているものとして、ディスクを扱う。例えば、ディスクドライブは、規
格上で定められた記録可能な最大記録容量まで実際に記録できるものとして、ディスクの
記録可能領域に対してデータを記録する。
【０００３】
しかるに、市場に出回っているディスクの中には、規格外のスペックで製造された粗悪
なディスクもある。このような粗悪なディスクの全記録可能領域に対して記録、再生が可
能であるとして記録容量を設定して、なおかつデータを記録した場合、規格外のスペック
である部分においては、実際にデータを記録できない場合がある。また、データを記録で
きたとしても、データを再生できない事が発生する。これによって、ディスクドライブを
使用するユーザに対して、実際には記録再生ができないにもかかわらず、あたかも記録再
生できたものとして間違った情報を提供する事がある。また、記録できたものとして作業
を終了したにも関わらず実際には再生できず、結果的にユーザデータを消滅させてしまう
事態になる事もあり得る。
【０００４】
この発明の目的は、上記したような問題を解決するためになされたものであって、受け
取った記録データを確実に記録することが可能な情報記録装置を提供することにある。こ
のためのアプローチとしては例えば特許文献１においては、片面多層記録ディスクのレイ
ヤ０の外周側最終位置よりも内周側の所定位置に第１のシフト中間領域（Shifted Middle
Area）を設けるとともに、レイヤ０に設けられた第１のシフト中間領域と対向するレイ
ヤ１の位置に第２のシフト中間領域（Shifted Middle Area ）を設け、これにより、レイ
ヤ０からレイヤ１に至る記録領域は第１および第２のシフト中間領域で折り返され、第１
および第２のシフト中間領域より外周側の相対的にエラーの出やすい領域は使用されなく
なる旨、記載されている。即ち、多層ディスクにおいて各層毎に「中間領域」なる領域を
独自に設定することで、外周側でのエラーの影響を受け難くしているというものである。
【０００５】
一方、多層ディスクに限定するものでなくまた、ディスク外周部分の反りの程度に応じ
てデータ面側への記録を行う半径方向の領域をコントロールする機能を有することを特徴
とする特許文献２なる技術もある。しかしながら特許文献２においては、領域が狭ければ
記録を行わないという形態であり、このような方法も一法ではあるが、より柔軟に記録デ
ータの記録をコントロールする技術が求められるものである。
【特許文献１】特開２００７−１４１３４２号公報
【特許文献２】特許第３７９０２２１号公報
【発明の開示】
【発明が解決しようとする課題】
【０００６】
特許文献２の場合のように、光ディスクの外周部の反りが大きいと判断したエリアへの
データ記録を行わない場合、本来記録可能なデータの容量が小さくなる、という問題があ
った。
【０００７】
本発明は、より柔軟に記録データの記録をコントロールする情報記録装置および情報記
録方法を提供することを目的とする。
【課題を解決するための手段】
【０００８】
上記課題を解決するために、本発明の請求項１に記載の情報記録装置は、情報記憶媒体
の反り量を検出する検出手段と、この検出手段によって検出された前記反り量から前記情
報記憶媒体の記録可能容量を判定する判定手段と、この判定手段によって判定された前記
記憶可能容量に基づいて供給されるデータを加工する加工手段と、この加工手段によって
制限される前記記録データを前記情報記憶媒体に記録する記録手段とを具備することを特
徴とする。
【発明の効果】
【０００９】
本発明によれば、より柔軟に記録データの記録をコントロールする情報記録装置および
情報記録方法が得られる。
【発明を実施するための最良の形態】
【００１０】
以下、本発明の実施形態を説明する。
【実施例１】
【００１１】
本発明による実施形態１を図１乃至図３を参照して説明する。
図１は、本発明が適用される光ディスク装置１の構成を示すブロック図である。光ディ
スク２はＣＤ系、ＤＶＤ系、またはＨＤＤＶＤ系の記録型光ディスクである。例えばＤＶ
Ｄ系では、ＤＶＤ−ＲＷ（Rewritable）／ＲＡＭ（Random Access Memory）等がある。光
ディスク２はディスクモータ３によって回転駆動される。ディスクモータ３はディスクモ
ータ制御回路４によって制御されている。
【００１２】
光ディスク２に対する情報の記録、再生は、光ピックアップ５によって行われる。光ピ
ックアップ５には、対物レンズ６が設けられており、対物レンズ６はフォーカシングアク
チュエータ７の駆動によりフォーカスシング方向（レンズの光軸方向）への移動が可能で
、またトラッキングアクチュエータ８の駆動によりトラッキング方向（レンズの光軸と直
交する方向）への移動が可能である。
【００１３】
変調回路９は情報記録時にホスト装置３０からインターフェース回路２９を介して供給
されるデータを変調し、変調されたデータをレーザ制御回路１０へ提供する。レーザ制御
回路１０は情報記録時（マーク形成時）に、変調回路９から供給される変調されたデータ
に基づいて、書き込み用信号を光ピックアップ５内のレーザダイオード１１に供給する。
【００１４】
レーザダイオード１１は３種類あり、第１のレーザダイオードはＤＶＤ用のレーザダイ
オード１１ａ、第２のレーザダイオードはＨＤＤＶＤ用のレーザダイオード１１ｂ、第３
のレーザダイオードはＣＤ用のホログラムレーザダイオード１１ｃである。第１のレーザ
ダイオード１１ａの波長は約６５０ｎｍ（nano meter）（第１の波長）、第２のレーザダ
イオード１１ｂは約４０５ｎｍ（第２の波長）、第３のレーザダイオード１１ｃは約７８
０ｎｍ（第３の波長）である。この３種類のレーザダイオード１１の一つが、レーザ制御
回路１０から供給される信号に応じて選択されてレーザ光を出射する。
【００１５】
レーザダイオード１１ａから発せられるレーザ光は、ＨＤ ＤＶＤ／ＤＶＤ合波プリズ
ム１２、偏光ビームスプリッタ（ＰＢＳ）１３、ダイクロイックプリズム１４、コリメー
トレンズ１５、１／４波長板１６、対物レンズ６を介して光ディスク２上に照射される。
レーザダイオード１１ａから発せられるレーザ光の光ディスク２からの反射光は、対物レ
ンズ６、１／４波長板１６、コリメートレンズ１５、ダイクロイックプリズム１４、偏光
ビームスプリッタ（ＰＢＳ）１３を介して光検出器１７に導かれる。以上がＤＶＤ系光学
システムである。光検出器１７からの出力信号は、ＲＦアンプ１９へ供給される。
【００１６】
レーザダイオード１１ｂから発せられるレーザ光は、ＨＤ ＤＶＤ／ＤＶＤ合波プリズ
ム１２、偏光ビームスプリッタ（ＰＢＳ）１３、ダイクロイックプリズム１４、コリメー
トレンズ１５、１／４波長板１６、対物レンズ６を介して光ディスク２上に照射される。
レーザダイオード１１ｂから発せられるレーザ光の光ディスク２からの反射光は、対物レ
ンズ６、１／４波長板１６、コリメートレンズ１５、ダイクロイックプリズム１４、偏光
ビームスプリッタ（ＰＢＳ）１３を介して光検出器１７に導かれる。以上がＨＤＤＶＤ系
光学システムである。光検出器１７からの出力信号は、ＲＦアンプ１９へ供給される。
【００１７】
レーザダイオード１１ｃから発せられるレーザ光は、ダイクロイックプリズム１４、コ
リメートレンズ１５、１／４波長板１６、対物レンズ６を介して光ディスク２上に照射さ
れる。レーザダイオード１１ｂから発せられるレーザ光の光ディスク２からの反射光は、
対物レンズ６、１／４波長板１６、コリメートレンズ１５、ダイクロイックプリズム１４
、を介してレーザダイオード１１ｃ内に内蔵された光検出器１８に導かれる。以上がＣＤ
系光学システムである。光検出器１８からの出力信号は、ＲＦアンプ１９へ供給される。
【００１８】
ＲＦアンプ１９は、光検出器１７または光検出器１８からの検出信号を処理し、ジャス
トフォーカスからの誤差を示すフォーカス誤差信号（ＦＥ信号）、レーザ光のビームスポ
ット中心とトラック中心との誤差を示すトラッキング誤差信号（ＴＥ信号）、および再生
信号（ＲＦ信号）を生成し、生成されたＦＥ信号、ＴＥ信号、およびＲＦ信号をＡ／Ｄ変
換器２０に供給する。ＲＦアンプ１９は、光検出器１７または光検出器１８からの検出信
号を処理する際、使用されるレーザダイオード１１ａ、１１ｂまたは１１ｃに応じて信号
を生成する時のパラメータをそれぞれの適切な値に設定して上記信号を生成する。Ａ／Ｄ
変換器２０から出力された信号はバス２５を介してＣＰＵ（Central Processing Unit）
２６等に供給される。
【００１９】
フォーカス・トラッキング制御回路２１は、バス２５を介して供給されたＦＥ信号及び
ＴＥ信号に応じてフォーカス制御信号及びトラッキング制御信号を生成し、フォーカシン
グアクチュエータ７及びトラッキングアクチュエータ８に出力し対物レンズ６を駆動する
。これにより、レーザ光が光ディスク２の情報記録面上に常時ジャストフォーカスとなる
フォーカシングサーボ、及びレーザ光が光ディスク２上に形成されたトラック上を常にト
レースするトラッキングサーボが行われる。
【００２０】
ＲＦ信号は、Ａ／Ｄ変換器２０でデジタル信号に変換されチャネルビットのデータとし
てデータ再生回路２２に供給される。データ再生回路２２は、Ａ／Ｄ変換器２０から供給
されたチャネルビットの信号とＰＬＬ（Phase Locked Loop）回路２３から供給される同
期信号に基づいて再生信号を生成し、生成した再生信号を復号化し、バス２５を介してエ
ラー訂正回路２４に出力する。ＰＬＬ回路２３は再生信号を生成する際に必要な同期信号
を発生する回路である。データ再生回路２２で再生された再生データは、付与されている
エラー訂正コードを用いてエラー訂正回路２４でエラー訂正を行った後、インターフェー
ス回路２９を介してホスト装置３０に出力される。
【００２１】
ディスクモータ制御回路４、変調回路９，レーザ制御回路１０、Ａ／Ｄ変換回路２０、
フォーカス・トラッキング制御回路２１、データ再生回路２２、ＰＬＬ回路２３、エラー
訂正回路２４等は、バス２５を介してＣＰＵ（Central Processing Unit）２６によって
制御される。
【００２２】
ＣＰＵ２６はインターフェース回路２９を介してホスト装置３０から供給される動作コ
マンドに従って、この光ディスク記録再生装置１を総合的に制御する。また、ＣＰＵ２６
は、ＲＡＭ（Random Access Memory）２７を記録再生時のバッファメモリ等の作業エリア
として使用し、ＲＯＭ（Read Only Memory）２８に記憶されたプログラムに従った所定の
制御を行う。
【００２３】
第一の実施形態について、さらに図2及び図3を用いて説明する。第一の実施形態は、デ
ィスクに記録するデータが、オリジナル状態と比べて多少間引いたとしても、データの参
照が可能な、例えば映像などのようなデータの場合である時の例である。まず、光ディス
ク装置にてディスクの初期化時において、後述のディスクの反り量を検出する(図3-ステ
ップＳ３１)。以下、ＣＰＵ２６により判定等を行う。
【００２４】
その際、ディスクの反り量がある閾値以上であるか否かを判定し(図3-ステップＳ３２)
、前記閾値以上であると判断した場合、すなわち、反り量が大きいエリア(図2-(2))を含
むディスクであると判断した場合、データ記録を実施するエリアを、ディスクが反る手前
までにするのか判断し(図3-ステップＳ３３)、図2-(3)のエリア内にデータを記録するの
か、或いは図2-(4)のエリアまで含めてデータを記録するのか、選択する。
【００２５】
その後、図3-ステップＳ３３でYESを選択して図2-(3)に示す範囲内で映像データを記録
する場合、データを間引くか否かを判断し(図3-ステップＳ３５)、図2-(3)のエリアに相
当する容量内に収まるように図3-ステップＳ３６にてデータの間引き量を制御する。間引
きは例えば映像であればいわゆるダウンコンバート等の手段を用いて行う。また音楽であ
れば採りうる圧縮方式により音質品位を低下させるといった方法がある。
【００２６】
図3-ステップＳ３６で間引き量を決めたのち、データ記録の実行を装置の利用者が間引き
量とその結果情報に関する装置からのメッセージに対し判断してかく装置へ指示し(図3-
ステップＳ３７)、記録を実施する場合は図3-ステップＳ３８へ導かれて記録を実行し、
記録を実行しない場合はルーチンを終了する。
【００２７】
図3-ステップＳ３３において「NO」を選択した場合、すなわち、ディスクの反り量が大
きいと判断したにもかかわらずディスク全面にデータを記録すると、装置の利用者がディ
スクの反り量が大きいとの装置からのメッセージに対し判断してかく装置へ指示した場合
、図3-ステップＳ３４にてデータを印刷する範囲はディスク全面であると認識し、図3-ス
テップＳ３７に導かれる。
【００２８】
また、図3-ステップＳ３５において「NO」を選択した場合、すなわち、図2-(2)のよう
なディスクの反り量が大きいと判断したエリアへのデータの記録を行わないと判断しつつ
もデータを間引かない場合も、図3-ステップＳ３７に導かれる。
【００２９】
なお、図3-ステップＳ３７以降のルーチンは上述した内容と同様であるため省略する。
（第一の実施形態による効果）
上記で示したように、記録するデータが映像データのように、オリジナル状態と比べて
多少間引いたとしてもデータの参照が可能な場合、外周部の反りが大きいと判断した部分
を除くエリア内に収まるように、データ量(映像の場合は画質)をコントロールして記録す
ることで、記録に失敗することを回避可能となるのみならず、画像データの先頭から末尾
までを記録することが出来、ユーザがデータの大枠を参照することが可能となる。
【実施例２】
【００３０】
本発明による実施形態２を図１乃至図４及び図５を参照して説明する。実施形態１と共
通する部分は説明を省略する。
第二の実施形態は、近年提案されているライトスクライブ或いはラベルフラッシュとい
う方式のような、特殊なコーティングが施された光ディスクのラベル面に任意の絵柄を印
刷する場合に当てはめたものである。
【００３１】
すなわち、光ディスクのラベル面に、任意の絵柄を印刷する際、ディスクの反りを検出
し、反りが大きいと判断したエリアへの絵柄の印刷は行わず、本来の絵柄と比べて半径方
向に圧縮した絵柄を印刷する場合である。
【００３２】
まず、第一及の実施形態と同様に、光ディスク装置にてディスクの初期化時において、
ディスクの反り量を検出する(図4-ステップＳ４１)。
第一の実施形態と異なるのは、通常ディスクは、データ面と光ピックアップが向き合う
ようにセットするが、光ディスクのラベル面に絵柄を印刷する場合においては、ディスク
のラベル面と光ピックアップが向き合うようにディスクをセットすることである。
【００３３】
ディスクの初期化時、ディスクの反り量がある閾値以上であるか否かを判定し(図4-ス
テップＳ４２)、前記閾値以上であると判断した場合、すなわち、反り量が大きいエリア(
図5-(2))を含むディスクであると判断した場合、絵柄の印刷を実施するエリアを、ディス
クが反る手前の図5-(3)のエリア内にデータを記録するのか、或いは反り量が大きいと判
断した図5-(4)のエリアまで含めてデータを記録するのかを選択する(図4-ステップＳ４３
)。
【００３４】
図4-ステップＳ４２にてディスクの反り量が小さいと判断した場合、ディスク前面を用
いて絵柄の印刷を実施し(図4-ステップＳ４８)、終了する。
図4-ステップＳ４３にて図5-(3)に相当する範囲内に絵柄を印刷すると判断した場合、
図5-(3)の範囲内に絵柄が全て収まるように絵柄のデータを半径方向に圧縮するか否かの
判断を経て(図4-ステップＳ４５)、データを半径方向に圧縮するのであれば、図4-ステッ
プＳ４６にてデータを圧縮するよう印刷する絵柄のデータを制御する。
【００３５】
その後、絵柄を印刷するか否かを判断し(図4-ステップＳ４７)、印刷する場合は印刷を
実施し(図4-ステップＳ４８)て終了し、印刷しない場合は、そのまま終了する。
【００３６】
一方、図4-ステップＳ４３において「NO」を選択した場合、すなわち、ディスクの反り
量が大きいと判断したにもかかわらずディスク全面に絵柄を印刷すると、装置の利用者が
ディスクの反り量が大きいとの装置からのメッセージに対し判断してかく装置へ指示した
場合、図4-ステップＳ４４にて絵柄を印刷する範囲はディスク全面であると認識し、図4-
ステップＳ４７に導かれる。
【００３７】
また、図4-ステップＳ４５において「NO」を選択した場合、すなわち、図5-(2)のよう
なディスクの反り量が大きいと判断したエリアへの絵柄の印刷を行わないと判断しつつも
半径方向に絵柄を圧縮しない場合、図4-ステップＳ４７に導かれる。なお、図4-ステップ
Ｓ４７以降のルーチンは上述した内容と同様であるため省略する。
【００３８】
（第二の実施形態による効果）
第一の実施形態に示したのは、光ディスクのデータ面にデータを記録する場合の例
である。第二の実施例は、近年提案されているライトスクライブ或いはラベルフラッシュ
という方式のような、特殊なコーティングを施された光ディスクのラベル面に任意の絵柄
を印刷する場合に当てはめたものである。
【００３９】
すなわち、光ディスクのラベル面に、任意の絵柄を印刷する際、ディスクの反りを検出
し、反りが大きいと判断したエリアへの絵柄の印刷は行わず、本来の絵柄と比べて半径方
向に圧縮した絵柄を印刷することで、印刷に失敗する、或いは絵柄のかすれ等の不具合を
回避するのみならず、本来印刷しようとしている絵柄の概要は全て印刷することが可能と
なる。
【００４０】
ここで各実施形態の補足としてディスクのチルト量を一般的に説明し、反り量の算出方
法を例示する。まずディスクに反りがある場合、反り具合に応じてフォーカスエラー信号
が生成される。このフォーカスエラー信号に基づきフォーカス制御信号が生成され、この
フォーカス制御信号によりアクチュエータが駆動され、ディスクの記録面に対して光ビー
ムがジャストフォーカスされる。即ち、ディスクの反り具合に応じて、フォーカス制御信
号にバイアス成分が発生する。
【００４１】
このバイアス成分（ フォーカス変位量） と半径位置の関係、さらにフォーカス変位量
の半径位置による微分値と半径位置の関係に関し、フォーカス変位量の微分値はディスク
のチルト量に比例するといって良く、したがってこのフォーカス変位量の傾きを測定する
ことにより、ディスクのチルト量を検出することができる。
【００４２】
またはより高精度なディスクのチルト量検出が必要な場合には、２ 点間のバイアス値
の差分値から、２ 点間の領域に対する光軸の傾き量を検出する。これにより、バイアス
成分に含まれる信号ノイズや測定のばらつきの影響を大幅に緩和することができ、より正
確なディスクのチルト量検出が可能となる。
【００４３】
ディスクのチルト量の検出時において、ディスクドライブは、ディスク上における半径
距離の異なる複数位置に対して光ビームを追従させ、複数位置からフォーカスエラー信号
を採取する。これら複数位置から採取された複数のフォーカスエラー信号に基づき、複数
のフォーカス制御信号が生成される。これら複数のフォーカス制御信号に基づき、複数の
直流バイアス成分が検出される。検出された複数の直流バイアス成分を採取し、二つの直
流バイアス成分の差分値からある領域に対する光軸のチルト量を検出する。つまり、ディ
スク上における半径距離の異なる複数位置から採取され
【００４４】
た複数のバイアス成分に基づき、ディスク上における半径距離の異なる複数領域に対する
光軸のチルト量を検出する。反り量としては、上記いずれかのチルト量、それらの平均や
最大といったＣＰＵ２６による演算結果を用いればよい。
【００４５】
以上、実施形態の効果として、光ディスクの外周部で発生し得る物理的な反りによる、
光ディスクデータ面側へのデータ記録或いはラベル面側への印刷時のエラーを発生し難く
した。
【００４６】
なお、この発明は上記実施形態に限定されるものではなく、この外その要旨を逸脱しな
い範囲で種々変形して実施することができる。
また、上記した実施の形態に開示されている複数の構成要素を適宜に組み合わせること
により、種々の発明を形成することができる。例えば、実施の形態に示される全構成要素
から幾つかの構成要素を削除しても良いものである。さらに、異なる実施の形態に係る構
成要素を適宜組み合わせても良いものである。
【図面の簡単な説明】
【００４７】
【図１】この発明の一実施形態を示すブロック構成図。
【図２】同実施形態に関わる情報記憶媒体の記録対象領域の説明のために示す図。
【図３】同実施形態の動作を示すフローチャート図。
【図４】他の実施形態の動作を示すフローチャート図。
【図５】同実施形態に関わる情報記憶媒体の記録対象領域の説明のために示す図。
【符号の説明】
【００４８】
１  光ディスク装置
２  光ディスク
３  ディスクモータ
５  光ピックアップ
６  対物レンズ
１０  レーザ制御回路
１１ａ、ｂ、ｃ  レーザダイオード
１７  光検出器
１８  光検出器
１９  ＲＦアンプ
２０  Ａ／Ｄ変換回路
２１  フォーカス・トラッキング制御回路
２２  データ再生回路
２３  ＰＬＬ回路
２４  エラー訂正回路
２５  バス
２６  ＣＰＵ
２７  ＲＡＭ
２８  ＲＯＭ
２９  インターフェース回路
３０  ホスト装置
【図１】
2009129525.tif 000003
【図２】
2009129525.tif 000004
【図３】
2009129525.tif 000005
【図４】
2009129525.tif 000006
【図５】
2009129525.tif 000007